【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】  インターフェロンポリペプチドの少なくとも一部分をコードするポリヌクレオチドを含んで成る単離された核酸であって、前記インターフェロンポリペプチドが、配列番号: 2、4、6、8、10、12、14、16、18、20、22、24、26、28、30、32、34、36、38、40、42、44、46、48、50、52、54、56、68、60、62、64、66、68、70、72、74、76、78、80、82、84、86 、又はそれらの断片のうちの少なくとも一つに少なくとも95%同一であるアミノ酸配列を含む、単離された核酸。
【請求項２】  前記インターフェロンポリペプチドが、 配列番号 : 2、4、6、8、10、12、14、16、18、20、22、24、26、28、30、32、34、36、38、40、42、44、46、48、50、52、54、56、68、60、62、64、66、68、70、72、74、76、78、80、82、84、86 、又はそれらの断片のうちの少なくとも一つに少なくとも96%同一であるアミノ酸配列を含む、請求項１に記載の単離された核酸。
【請求項３】  前記インターフェロンポリペプチドが、配列番号 : 2、4、6、8、10、12、14、16、18、20、22、24、26、28、30、32、34、36、38、40、42、44、46、48、50、52、54、56、68、60、62、64、66、68、70、72、74、76、78、80、82、84、86、又はそれらの断片のうちの少なくとも一つに少なくとも97%同一であるアミノ酸配列を含む、請求項２に記載の単離された核酸。
【請求項４】  前記インターフェロンポリペプチドが、配列番号 : 2、4、6、8、10、12、14、16、18、20、22、24、26、28、30、32、34、36、38、40、42、44、46、48、50、52、54、56、68、60、62、64、66、68、70、72、74、76、78、80、82、84、86 、又はそれらの断片のうちの少なくとも一つに少なくとも98%同一であるアミノ酸配列を含む、請求項３に記載の単離された核酸。
【請求項５】  前記インターフェロンポリペプチドが、配列番号 : 2、4、6、8、10、12、14、16、18、20、22、24、26、28、30、32、34、36、38、40、42、44、46、48、50、52、54、56、68、60、62、64、66、68、70、72、74、76、78、80、82、84、86 、又はそれらの断片のうちの少なくとも一つに少なくとも99%同一であるアミノ酸配列を含む、請求項４に記載の単離された核酸。
【請求項６】  前記インターフェロンポリペプチドが、配列番号 : 2、4、6、8、10、12、14、16、18、20、22、24、26、28、30、32、34、36、38、40、42、44、46、48、50、52、54、56、68、60、62、64、66、68、70、72、74、76、78、80、82、84、86 、又はそれらの断片のうちの少なくとも一つに同一であるアミノ酸配列を含む、請求項５に記載の単離された核酸。
【請求項７】  配列番号 : 1、3、5、7、9、11、13、15、17、19、21、23、25、27、29、31、33、35、37、39、41、43、45、47、49、51、53、55、57、59、61、63、65、67、69、71、73、75、77、79、81、83又は85のうちの少なくとも一つにストリンジェントな条件下でハイブリダイズするポリヌクレオチドを含んで成る単離された核酸。
【請求項８】  配列番号 : 2、4、6、8、10、12、14、16、18、20、22、24、26、28、30、32、34、36、38、40、42、44、46、48、50、52、54、56、68、60、62、64、66、68、70、72、74、76、78、80、82、84、86、又はそれらの断片のうちの少なくとも一つをコードする核酸にストリンジェントな条件下でハイブリダイズするポリヌクレオチドを含んで成る単離された核酸。
【請求項９】  前記インターフェロンペプチドが、生物学的に活性なフラグメントを含んでなる、請求項１乃至８のいずれかに記載の単離された核酸。
【請求項１０】  請求項１乃至９のいずれかに記載の核酸を含み、原核細胞及び真核細胞の少なくとも一方において複製可能な発現ベクタ。
【請求項１１】  請求項１０に記載の発現ベクタを含む宿主細胞。
【請求項１２】  ポリペプチドを生成する方法であって、請求項１１に記載の細胞を、細胞培地で培養して前記ポリペプチドを発現させるステップと、前記ポリペプチドを前記細胞培養物から単離するステップと、を含む、方法。
【請求項１３】  配列番号 : 2、4、6、8、10、12、14、16、18、20、22、24、26、28、30、32、34、36、38、40、42、44、46、48、50、52、54、56、68、60、62、64、66、68、70、72、74、76、78、80、82、84、又は86のうちの少なくとも一つに少なくとも95%同一であるアミノ酸配列を含む、単離されたポリペプチド。
【請求項１４】  前記アミノ酸配列が、配列番号 : 2、4、6、8、10、12、14、16、18、20、22、24、26、28、30、32、34、36、38、40、42、44、46、48、50、52、54、56、68、60、62、64、66、68、70、72、74、76、78、80、82、84、又は86のうちの少なくとも一つに少なくとも96%同一である、請求項１３に記載の単離されたポリペプチド。
【請求項１５】  前記アミノ酸配列が、配列番号 : 2、4、6、8、10、12、14、16、18、20、22、24、26、28、30、32、34、36、38、40、42、44、46、48、50、52、54、56、68、60、62、64、66、68、70、72、74、76、78、80、82、84、又は86のうちの少なくとも一つに少なくとも97%同一である、請求項１４に記載の単離されたポリペプチド。
【請求項１６】  前記アミノ酸配列が、配列番号 : 2、4、6、8、10、12、14、16、18、20、22、24、26、28、30、32、34、36、38、40、42、44、46、48、50、52、54、56、68、60、62、64、66、68、70、72、74、76、78、80、82、84、又は86のうちの少なくとも一つに少なくとも98%同一である、請求項１５に記載の単離されたポリペプチド。
【請求項１７】  前記アミノ酸配列が、配列番号 : 2、4、6、8、10、12、14、16、18、20、22、24、26、28、30、32、34、36、38、40、42、44、46、48、50、52、54、56、68、60、62、64、66、68、70、72、74、76、78、80、82、84、又は86のうちの少なくとも一つに少なくとも99%同一である、請求項１６に記載の単離されたポリペプチド。
【請求項１８】  前記アミノ酸配列が、配列番号 : 2、4、6、8、10、12、14、16、18、20、22、24、26、28、30、32、34、36、38、40、42、44、46、48、50、52、54、56、68、60、62、64、66、68、70、72、74、76、78、80、82、84、又は86のうちの少なくとも一つに同一である、請求項１７に記載の単離されたポリペプチド。 
【請求項１９】  請求項１３乃至１８のいずれかに記載のポリペプチドのエピトープ保有部分のアミノ酸配列を含んで成る単離されたポリペプチド。
【請求項２０】  インターフェロンポリペプチドに特異的に結合する単離された抗体。
【請求項２１】  請求項１３乃至１８のいずれかに記載のポリペプチドに特異的に結合する単離された抗体。
【請求項２２】  薬学的に許容可能な賦形剤と組み合わされた、請求項１３乃至１８のいずれかに記載のポリペプチドを含んで成る組成物。
【請求項２３】  治療上有効量のインターフェロンポリペプチドを投与するステップを含む、患者を治療する方法。
【請求項２４】  請求項１３乃至１８のいずれかに記載の単離されたポリペプチドを治療上有効量、投与するステップを含む、患者を治療する方法。
【請求項２５】  前記方法が、免疫系関連疾患のための治療を含む、請求項２３又は２４に記載の方法。
【請求項２６】  前記免疫系関連疾患がウィルス感染、寄生生物感染、細菌感染、癌、自己免疫疾患、多発性硬化症、リンパ腫、及びアレルギからなる群より選択される、請求項２５に記載の方法。
【請求項２７】  前記患者がヒト又は非ヒト動物である、請求項２３又は２４に記載の方法。
【請求項２８】  インターフェロンポリペプチドの生物学的活性を高める又は阻害する化合物を同定する方法。
【請求項２９】  インターフェロンポリペプチドの生物学的活性を高める化合物がインターフェロンアゴニストである、請求項２８に記載の方法。
【請求項３０】  インターフェロンポリペプチドの生物学的活性を阻害する化合物がインターフェロンアンタゴニストである、請求項２８に記載の方法。
【プルーフの要否】      要